(57)【特許請求の範囲】
【請求項１】
複数のレンズ群の群間距離を変化させることにより変倍を行うズームレンズを保持し、且つ沈胴が可能なズームレンズ鏡胴において、
複数のカム溝を有するカム筒と、
前記カム筒の第１カム溝によって案内されて光軸方向に移動する駆動部材と、
所定のレンズ群を保持し、前記駆動部材に設けられた案内部材に案内されて前記駆動部材に対して所定の範囲内で接近及び離間可能なレンズ鏡枠と、
前記レンズ鏡枠と前記駆動部材とを離間させる方向に付勢する付勢部材と、
を備え、
沈胴時には、前記駆動部材及び前記レンズ鏡枠が結像面の近傍に移動して、前記レンズ鏡枠が前記付勢部材の付勢力に抗して前記駆動部材に接近し、
広角端近傍の変倍領域では、前記レンズ鏡枠は、前記付勢部材の付勢力によって前記駆動部材に対して最も離間して前記カム筒の第２カム溝と係合する前記レンズ鏡枠のカムピンが前記カム筒より結像面側に離脱すると共に、前記カム筒の第１カム溝によって案内されて光軸方向に移動する前記駆動部材と一体化して移動し、
望遠端近傍の変倍領域では、前記レンズ鏡枠は、前記カム筒の第２カム溝によって案内されて移動し、前記付勢部材の付勢力に抗して前記駆動部材に接近することを特徴とするズームレンズ鏡胴。
【請求項２】
沈胴時には、前記レンズ鏡枠が結像面の近傍に位置する部材に当接することを特徴とする請求項１に記載のズームレンズ鏡胴。
【請求項３】
前記レンズ鏡枠は第２レンズ群を保持し、前記レンズ鏡枠の被写体側に第１レンズ群を保持し前記カム筒のカム溝によって案内されて光軸方向に移動する第１レンズ鏡枠を備えたことを特徴とする請求項１又は請求項２に記載のズームレンズ鏡胴。
【請求項４】
広角端では前記第１レンズ群と前記第２レンズ群とが最も離間し、望遠端では前記第１レンズ群と前記第２レンズ群とが最も接近することを特徴とする請求項３に記載のズームレンズ鏡胴。
【発明の詳細な説明】
【０００１】
【発明の属する技術分野】
本発明は、カメラに用いるズームレンズ鏡胴に関する。
【０００２】
【従来の技術】
近年、コンパクトカメラにおいては、非使用時にはレンズ鏡胴を結像面の近傍に後退（以下、沈胴という）させてカメラ本体からレンズ鏡胴の突出をなくし、携帯性を向上させたカメラが普及している。
【０００３】
また、最近のデジタルカメラにおいては、レンズ群が３群からなるズームレンズを備えたカメラがあり、ズーミングのときは第１レンズ群と第２レンズ群とを移動させ、フォーカシングのときは第３レンズ群を移動させている。この第１レンズ群と第２レンズ群とを移動させるのにカム溝を有するカム筒を回転させているが、第１レンズ群と第２レンズ群とが広角時に離間し、望遠時に接近する構成が多い。
【０００４】
【発明が解決しようとする課題】
上記の如き、第１レンズ群と第２レンズ群とが広角時に離間し、望遠時に接近する構成のズームレンズを用いたとき、第１レンズ群と第２レンズ群との相対距離の変化に対応するカム溝を有するカム筒が必要になるが、ズームレンズを沈胴させるときにカム筒の長さが制約になる。
【０００５】
即ち、各レンズ群の相互の移動量が大きいと、カム筒の全長が長くなり、沈胴の障害になる。また、単純に各レンズ群の移動量が小さいズームレンズを用いると、各レンズ群のパワーが強くなり、誤差感度が敏感になって生産性を悪化させるという問題が生ずる。
【０００６】
このような問題を解決することを目的とした技術が特開平３−１８０８２３号公報に開示されているが、この公報においては二つのカム筒を用いてカム筒の全長を短くしている。しかし、二つのカム筒を用いると、原価高になる。
【０００７】
本発明はかかる問題に鑑みてなされたものであり、レンズ群の相互の移動量が大きいズームレンズであっても、カム筒の全長を長く形成することなく、充分に沈胴可能なコンパクトなズームレンズ鏡胴を提案することを発明の目的とする。
【０００８】
【課題を解決するための手段】
上記目的は下記の何れかの手段により達成される。
【０００９】
複数のレンズ群の群間距離を変化させることにより変倍を行うズームレンズを保持し、且つ沈胴が可能なズームレンズ鏡胴において、
複数のカム溝を有するカム筒と、
前記カム筒の第１カム溝によって案内されて光軸方向に移動する駆動部材と、
所定のレンズ群を保持し、前記駆動部材に設けられた案内部材に案内されて前記駆動部材に対して所定の範囲内で接近及び離間可能なレンズ鏡枠と、
前記レンズ鏡枠と前記駆動部材とを離間させる方向に付勢する付勢部材と、
を備え、
沈胴時には、前記駆動部材及び前記レンズ鏡枠が結像面の近傍に移動して、前記レンズ鏡枠が前記付勢部材の付勢力に抗して前記駆動部材に接近し、
広角端近傍の変倍領域では、前記レンズ鏡枠は、前記付勢部材の付勢力によって前記駆動部材に対して最も離間して前記カム筒の第２カム溝と係合する前記レンズ鏡枠のカムピンが前記カム筒より結像面側に離脱すると共に、前記カム筒の第１カム溝によって案内されて光軸方向に移動する前記駆動部材と一体化して移動し、
望遠端近傍の変倍領域では、前記レンズ鏡枠は、前記カム筒の第２カム溝によって案内されて移動し、前記付勢部材の付勢力に抗して前記駆動部材に接近することを特徴とするズームレンズ鏡胴。
【００１３】
【発明の実施の形態】
本発明のズームレンズ鏡胴に関する２種の実施の形態を図を参照して詳細に説明する。
【００１４】
［第１の実施の形態］
第１の実施の形態を図１乃至図５を参照して説明する。図１はズームレンズ鏡胴を沈胴させたときの縦断面図、図２はズームレンズ鏡胴を広角端まで繰り出したときの縦断面図、図３はズームレンズ鏡胴を望遠端まで繰り出したときの縦断面図、図４は固定胴のカム溝の展開図、図５はカム筒のカム溝の展開図である。
【００１５】
図１乃至図３において、本ズームレンズは第１レンズ群Ｌ１、第２レンズ群Ｌ２及び第３レンズ群Ｌ３から構成され、第１レンズ群Ｌ１及び第２レンズ群Ｌ２が互いの群間距離を変化させながら繰り出されることにより変倍動作を行い、第３レンズ群Ｌ３が繰り出されることにより合焦動作を行ってＣＣＤ等からなる撮像素子Ｃに結像する。被写体の光像が撮像素子Ｃに結像すると周知の如く光電変換されて画像信号になり、適切な画像処理が施された後、メモリに記憶されたり、液晶モニタに表示されたりする。
【００１６】
第１レンズ群Ｌ１は第１レンズ枠１１、第２レンズ群Ｌ２は第２レンズ枠１２、第３レンズ群Ｌ３は第３レンズ枠１３に各々保持されている。また、第１レンズ枠１１の外周は直進案内筒１４の内周と嵌合し、直進案内筒１４の外周はカム筒１５の内周と嵌合し、カム筒１５の外周は固定胴１６の内周と嵌合している。
【００１７】
カム筒１５は後述するように内周に複数のカム溝を有し、図示していないズームモータと連結した減速歯車と歯合する歯車を有しており、ズームモータによって回転する。
【００１８】
また、固定胴１６はズームレンズ鏡胴の基体となる部材であって、カメラ本体に固定され、撮像素子Ｃを保持している。また、固定胴１６には第３レンズ枠１３を光軸Ｏの方向に直進案内する複数の案内軸１７が立設している。
【００１９】
第１レンズ枠１１にはカムピン２１が立設し、第２レンズ枠１２にはカムピン２２が立設していて、図５に示すようにカムピン２１はカム筒１５の内周に設けたカム溝１５ａに案内され、カムピン２２はカム筒１５の内周に設けたカム溝１５ｂに沿って移動したり案内されたりする。
【００２０】
更に、カム筒１５にはカムピン２５が立設していて、図４に示すようにカムピン２５が固定胴１６の内周に設けたカム溝１６ａに係合している。
【００２１】
第１レンズ枠１１の内周と第２レンズ枠１２の外周との空隙には駆動筒３１が配置され、第１レンズ枠１１の内周と駆動筒３１の外周が嵌合している。駆動筒３１にはカムピン３２が立設していて、図５に示すようにカムピン３２がカム筒１５の内周に設けたカム溝１５ｃに係合している。また、駆動筒３１には第２レンズ枠１２を光軸Ｏの方向に直進案内する複数の案内軸３３が立設しており、案内軸３３に設けた圧縮バネ３４が、第２レンズ枠１２が駆動筒３１から撮像素子Ｃの方向に離間する方向に第２レンズ枠１２を付勢している。
【００２２】
また、直進案内筒１４の構成については図示していないが、直進案内筒１４に光軸Ｏと平行に形成した複数の長溝がカムピン２１，３２と係合し、直進案内筒１４の後端が固定胴１６の内周に光軸Ｏと平行に形成した長溝と係合している。そして、直進案内筒１４はカム筒１５に対して回転はするが、光軸Ｏの方向にはカム筒１５と一体に移動する。従って、カム筒１５が固定胴１６に対して回転しながら光軸方向に移動しても、直進案内筒１４は回転せずに光軸方向に移動のみする。従って、第１レンズ枠１１及び駆動筒３１は回転せずに光軸方向に移動のみする。
【００２３】
次に、以上の如き構成のズームレンズ鏡胴の作動について説明する。
最初は、ズームレンズ鏡胴が非使用状態であって、図１の如き沈胴状態であったとする。この沈胴状態で図示していないカメラ本体のパワースイッチをオンにすると、ズームモータが回転し、カム筒１５が回転するので、カム筒１５のカムピン２５が固定胴１６のカム溝１６ａに案内され、カム筒１５は図４における沈胴位置（沈）から広角端（Ｗ）まで繰り出される。カム筒１５が回転すると、第１レンズ枠１１のカムピン２１がカム筒１５のカム溝１５ａに案内され、第１レンズ枠１１は図５における沈胴位置（沈）から広角端（Ｗ）まで繰り出される。従って、第１レンズ枠１１は自身の繰り出しにカム筒１５の繰り出しが加わって、図２の如く大きく繰り出されることになる。
【００２４】
このとき、駆動筒３１のカムピン３２が案内されるカム筒１５のカム溝１５ｃは光軸Ｏと直交し、光軸Ｏの方向には全く変化していない。従って、駆動筒３１はカム筒１５に対しては全く繰り出されず、固定胴１６に対するカム筒１５の繰り出しのみによって繰り出される。
【００２５】
更に、図１の如き沈胴状態では、圧縮バネ３４が圧縮された状態であって、第２レンズ枠１２は圧縮バネ３４によって撮像素子Ｃの方向に付勢され、光軸方向の後端１２ａが第３レンズ枠１３の前端１３ａに圧着している。一方、第２レンズ枠１２のカムピン２２は幅広のカム溝１５ｂ内に遊嵌していて、カムピン２２がカム溝１５ｂによって案内されることはない。しかし、カム筒１５の繰り出しによって駆動筒３１が次第に繰り出されると、圧縮バネ３４が次第に伸長し、第２レンズ枠１２の後端１２ａが第３レンズ枠１３の前端１３ａに圧着した状態を維持しながら、光軸Ｏの方向における駆動筒３１と第２レンズ枠１２のが次第に離間してゆく。やがて、第２レンズ枠１２のフランジ後面１２ｂが案内軸３３の頭部３３ａに当接し、図５に示す如く第２レンズ枠１２のカムピン２２はカム筒１５より撮像素子Ｃ側に離脱した状態になる。この後は駆動筒３１が案内軸３３を介して第２レンズ枠１２と一体化し、第２レンズ枠１２はカム筒１５のカム溝１５ｂに案内されることなく、駆動筒３１に追随して繰り出されてゆく。そして、図２に示す広角端の状態になる。
【００２６】
以上により、広角端では第１レンズ枠１１と第２レンズ枠１２とが最も離間した状態、即ち、第１レンズ群Ｌ１と第２レンズ群Ｌ２とが最も離間した状態になる。
【００２７】
ここで、更に望遠側に変倍するときは、カメラ本体にあって図示していないズームスイッチを作動し、ズームモータを回転させてカム筒１５を回転させる。但し、本ズームレンズ鏡胴においては、固定胴１６に形成したカム溝１６ａが図４に示す如く広角端（Ｗ）から望遠端（Ｔ）まで光軸Ｏに対して直交していて光軸Ｏ方向に全く変化していない。従って、カム筒１５は回転のみするが、広角端（Ｗ）からこれ以上繰り出されることがない。
【００２８】
しかし、カム筒１５が回転すれば、カム溝１５ａ，１５ｂ，１５ｃは各々回転する。従って、図５に示す如く広角端（Ｗ）から望遠端（Ｔ）に至る過程で、第１レンズ枠１１はカム溝１５ａによって撮像素子Ｃ側に一旦繰り込まれて、再度繰り出される。また、駆動筒３１はカム溝１５ｃの軌跡に沿って繰り出される。駆動筒３１が繰り出されると、案内軸３３を介して第２レンズ枠１２が駆動筒３１に追随して繰り出される。そして、広角端（Ｗ）から所定の中間位置（Ｍ）まではカム溝１５ｃとカム溝１５ｂが平行で、且つカム溝１５ｂが幅広であるので、第２レンズ枠１２は駆動筒３１に単に追随するのみである。
【００２９】
中間位置（Ｍ）を越えて望遠端（Ｔ）までの間になると、カム溝１５ｂの幅が狭くなって、カム溝１５ｂによってカムピン２２の移動が規制される。また、カム溝１５ｃはカム溝１５ｂと平行でなく傾斜が緩やかになり、カム溝１５ｂの方が急な傾斜になる。従って、第２レンズ枠１２は駆動筒３１より移動速度が速くなって、第２レンズ枠１２は圧縮バネ３４に抗して駆動筒３１に次第に接近し、図３の如く望遠端では第２レンズ枠１２は駆動筒３１に最も接近する。即ち、第２レンズ群Ｌ２が第１レンズ群Ｌ１に最も接近する。
【００３０】
本ズームレンズは変倍に際して、広角端では第１レンズ群Ｌ１と第２レンズ群Ｌ２が最も離間し、望遠端では第１レンズ群Ｌ１と第２レンズ群Ｌ２が最も接近するといった移動を行うが、駆動筒３１を設けたために図５により説明した如く、広角端（Ｗ）では第２レンズ枠１２のカムピン２２がカム筒１５から離脱した状態になって第１レンズ群Ｌ１と第２レンズ群Ｌ２が最も離間する。従って、カム筒１５の全長を短くすることができ、非使用時にはカム筒１５を充分に沈胴させることができる。
【００３１】
なお、広角端（Ｗ）から望遠端（Ｔ）の間で適宜ズームモータを停止させて所望の焦点距離で撮影することができる。そして、撮影距離に応じて図示していないフォーカスモータを駆動して第３レンズ枠１３を案内軸１７に沿って繰り出し、被写体の光像を撮像素子Ｃに合焦する。
【００３２】
また、望遠端（Ｔ）から広角端（Ｗ）に変倍するときは、上述の逆の作動となり、カム筒１５が逆回転し、望遠端（Ｔ）から中間位置（Ｍ）の間は、第１レンズ枠１１、駆動筒３１及び第２レンズ枠１２が共に撮像素子Ｃ側に繰り込まれるが、第１レンズ枠１１及び駆動筒３１に対して第２レンズ枠１２は次第に離間する。続いて、中間位置（Ｍ）から広角端（Ｗ）の間は、圧縮バネ３４によって第２レンズ枠１２のフランジ後面１２ｂが案内軸３３の頭部３３ａに当接した状態になって、第２レンズ枠１２は駆動筒３１に一体になり、駆動筒３１によって広角端（Ｗ）まで繰り込まれる。
【００３３】
広角端（Ｗ）から沈胴するときは、カム筒１５が繰り込まれるので、第１レンズ枠１１が繰り込まれ、第２レンズ枠１２が駆動筒３１によって繰り込まれる。その途中で、第２レンズ枠１２の後端１２ａが第３レンズ枠１３の前端１３ａに当接するが、駆動筒３１は圧縮バネ３４の付勢力に抗して更に繰り込まれ、第１レンズ枠１１も繰り込まれることによって、図１の沈胴状態になる。
【００３４】
［第２の実施の形態］
第２の実施の形態を図６乃至図１１を参照して説明する。図６はズームレンズ鏡胴を沈胴させたときの縦断面図、図７はズームレンズ鏡胴を広角端まで繰り出したときの縦断面図、図８はズームレンズ鏡胴を望遠端まで繰り出したときの縦断面図、図９はカム筒のカム溝の展開図、図１０は沈胴及び望遠端における各レバーの作動図、図１１は広角端における各レバーの作動図である。
【００３５】
図６乃至図８において、本ズームレンズは第１レンズ群Ｌ１、第２レンズ群Ｌ２及び第３レンズ群Ｌ３から構成され、第１レンズ群Ｌ１及び第２レンズ群Ｌ２が互いの群間距離を変化させながら繰り出されることにより変倍動作を行い、第３レンズ群Ｌ３が繰り出されることにより合焦動作を行ってＣＣＤ等からなる撮像素子Ｃに結像する。被写体の光像が撮像素子Ｃに結像すると周知の如く光電変換されて画像信号になり、適切な画像処理が施された後、メモリに記憶されたり、液晶モニタに表示されたりする。
【００３６】
第１レンズ群Ｌ１は第１レンズ枠４１、第２レンズ群Ｌ２は第２レンズ枠４２、第３レンズ群Ｌ３は第３レンズ枠４３に各々保持されている。また、第１レンズ枠４１の外周は直進案内筒４４の内周と嵌合し、直進案内筒４４の外周はカム筒４５の内周と嵌合し、カム筒４５の外周は固定胴４６の内周と嵌合している。
【００３７】
カム筒４５は後述するように内周に複数のカム溝を有し、図示していないズームモータと連結した減速歯車と歯合する歯車を有しており、ズームモータによって回転する。
【００３８】
また、固定胴４６はズームレンズ鏡胴の基体となる部材であって、カメラ本体に固定され、撮像素子Ｃを保持している。また、固定胴４６には第３レンズ枠４３を光軸Ｏの方向に直進案内する複数の案内軸４７が立設している。
【００３９】
第１レンズ枠４１にはカムピン５１が立設していて、図９に示すようにカムピン５１はカム筒４５の内周に設けたカム溝４５ａに案内される。
【００４０】
更に、カム筒４５にはカムピン５５が立設していて、カムピン５５が固定胴４６の内周に設けたカム溝に係合しているが、このカム溝は図４に示したカム溝１６ａと同一形状である。
【００４１】
第１レンズ枠４１の内周と第２レンズ枠４２の外周との空隙には駆動筒６１が配置され、第１レンズ枠４１の内周と駆動筒６１の外周が嵌合している。駆動筒６１にはカムピン６２が立設していて、図９に示すようにカムピン６２がカム筒４５のカム溝４５ｂに係合している。また、駆動筒６１には第２レンズ枠４２を光軸Ｏの方向に直進案内する複数の案内軸６３が立設しており、案内軸６３に設けた圧縮バネ６４が、第２レンズ枠４２が駆動筒６１から撮像素子Ｃの方向に離間する方向に第２レンズ枠６２を付勢している。
【００４２】
ここで、駆動筒６１には回転レバー６５及び摺動レバー６６が設けられているが、これらのレバーについては図１０及び図１１に基づいて説明する。なお、図１０は図６及び図８の状態のときに上方から見た図であり、図１１は図７の状態のときに上方から見た図である。
【００４３】
回転レバー６５は駆動筒６１に設けた支軸６１ａに軸支されて、支軸６１ａを中心に回転自在である。また、摺動レバー６６は駆動筒６１に設けた支軸６１ｂに長孔６６ａが嵌合し、光軸Ｏの方向に直進移動する。回転レバー６５の一端に設けた二股６５ａは第２レンズ枠４２の上部に立設した係合ピン４２ａと係合し、回転レバー６５の他端に設けた二股６５ｂは摺動レバー６６に立設した係合ピン６６ｂに係合している。
【００４４】
また、直進案内筒４４の構成については図示していないが、第１の実施の形態の直進案内筒１４と同様であり、カム筒４５が固定胴４６に対して回転しながら光軸方向に移動しても、直進案内筒４４は回転せずに光軸方向に移動のみし、第１レンズ枠４１及び駆動筒６１が回転せずに光軸方向に移動のみするように規制している。
【００４５】
次に、以上の如き構成のズームレンズ鏡胴の作動について説明する。
最初は、ズームレンズ鏡胴が非使用状態であって、図６の如き沈胴状態であったとする。この沈胴状態で図示していないカメラ本体のパワースイッチをオンにすると、ズームモータが回転し、カム筒４５が回転するので、カム筒４５のカムピン５５が固定胴４６のカム溝に案内され、カム筒４５は沈胴位置（沈）から広角端（Ｗ）まで繰り出される。カム筒４５が回転すると、第１レンズ枠４１のカムピン５１がカム筒４５のカム溝４５ａに案内され、第１レンズ枠４１は図９における沈胴位置（沈）から広角端（Ｗ）まで繰り出される。従って、第１レンズ枠４１は自身の繰り出しにカム筒４５の繰り出しが加わって、図７の如く大きく繰り出されることになる。
【００４６】
このとき、駆動筒６１のカムピン６２が案内されるカム筒４５のカム溝４５ｂは光軸Ｏと直交し、光軸Ｏの方向には全く変化していない。従って、駆動筒６１はカム筒４５に対しては全く繰り出されず、固定胴４６に対するカム筒４５の繰り出しのみによって繰り出される。
【００４７】
更に、図６の如き沈胴状態では、摺動レバー６６の先端部６６ｃが駆動筒６１に設けた孔６１ｃを貫通し、第１レンズ枠４１の裏面４１ａに当接している。そして、図１０の如く、回転レバー６５を時計方向に回転させていて、第２レンズ枠４２を圧縮バネ６４の付勢力に抗して駆動筒６１に接近させている。しかし、沈胴位置から広角端に移動するに伴い、第１レンズ枠４１が繰り出されるので、第２レンズ枠４２は圧縮バネ６４の付勢力によって駆動筒６１から離間する方向に移動すると共に、回転レバー６５が反時計方向に回転し、摺動レバー６６は第１レンズ枠４１に追随して摺動する。やがて、第２レンズ枠４２のフランジ後面４２ｂが案内軸６３の頭部６３ａに当接する。この後は、第１レンズ枠４１が更に繰り出されるので、摺動レバー６６の先端部６６ｃが第１レンズ枠４１の裏面４１ａより離間し、第２レンズ枠４２はそのフランジ後面４２ｂが案内軸６３の頭部６３ａに当接した状態を維持して、駆動筒６１との距離を一定に保った状態になる。そして、図７に示す広角端の状態になる。
【００４８】
以上により、広角端では第１レンズ枠４１と第２レンズ枠４２とが最も離間した状態、即ち、第１レンズ群Ｌ１と第２レンズ群Ｌ２とが最も離間した状態になる。
【００４９】
ここで、更に望遠側に変倍するときは、カメラ本体にあって図示していないズームスイッチを作動し、ズームモータを回転させてカム筒４５を回転させる。但し、本ズームレンズ鏡胴においては、第１の実施の形態にける図４と同様に固定胴４６に形成したカム溝が広角端（Ｗ）から望遠端（Ｔ）まで光軸Ｏに対して直交していて光軸Ｏ方向に全く変化していない。従って、カム筒４５は回転のみするが、広角端（Ｗ）からこれ以上繰り出されることがない。
【００５０】
しかし、カム筒４５が回転すれば、カム溝４５ａ，４５ｂは各々回転する。従って、図９に示す如く広角端（Ｗ）から望遠端（Ｔ）に至る過程で、第１レンズ枠１１はカム溝４５ａによって撮像素子Ｃ側に一旦繰り込まれて、再度繰り出される。また、駆動筒６１はカム溝４５ｂの軌跡に沿って繰り出される。駆動筒６１が繰り出されると、案内軸６３を介して第２レンズ枠４２が駆動筒６１に追随して繰り出される。
【００５１】
望遠端（Ｔ）に変倍するのに伴って駆動筒６１は次第に第１レンズ枠４１に接近し、やがて摺動レバー６６の先端部６６ｃが第１レンズ枠４１の裏面４１ａに当接する。なおも、駆動筒６１が第１レンズ枠４１に接近するのに伴って、摺動レバー６６の先端部６６ｃが第１レンズ枠４１の裏面４１ａより押圧されて、駆動レバー６６は後退する。これによって、回転レバー６５は時計方向に回転し、第２レンズ枠４２は圧縮バネ６４の付勢力に抗して駆動筒６１に接近し、図８及び図１０の状態になる。そして、望遠端では第２レンズ枠４２は駆動筒６１に最も接近し、第２レンズ群Ｌ２が第１レンズ群Ｌ１に最も接近する。
【００５２】
本ズームレンズは変倍に際して、広角端では第１レンズ群Ｌ１と第２レンズ群Ｌ２が最も離間し、望遠端では第１レンズ群Ｌ１と第２レンズ群Ｌ２が最も接近するといった移動を行うが、駆動筒６１を設けたために、第２レンズ枠４２は駆動筒６１の移動量以上の移動量で移動する。即ち、駆動筒６１のカムピン６２の移動量以上の移動量で第２レンズ枠４２が移動するので、第２レンズ枠４２にカムピンを設けてカム筒で駆動したときと比較して、カム筒４５の全長を短くすることができ、非使用時にはカム筒４５を充分に沈胴させることができる。
【００５３】
なお、広角端（Ｗ）から望遠端（Ｔ）の間で適宜ズームモータを停止させて所望の焦点距離で撮影することができる。そして、撮影距離に応じて図示していないフォーカスモータを駆動して第３レンズ枠４３を案内軸４７に沿って繰り出し、被写体の光像を撮像素子Ｃに合焦する。
【００５４】
また、望遠端（Ｔ）から広角端（Ｗ）に変倍するときは、上述の逆の作動となり、カム筒４５が逆回転して、第１レンズ枠４１、駆動筒６１及び第２レンズ枠４２が繰り込まれる。そして、駆動筒６１は第１レンズ枠４１から次第に離間し、圧縮バネ６４の付勢力によって第２レンズ枠４２が駆動筒６１から次第に離間してゆく。やがて、摺動レバー６６の先端部６６ｃが第１レンズ枠４１の裏面４１ａより離間し、第２レンズ枠４２はそのフランジ後面４２ｂが案内軸６３の頭部６３ａに当接した状態を維持して、駆動筒６１との距離を一定に保った状態になる。そして、この状態で広角端（Ｗ）に移動する。
【００５５】
広角端（Ｗ）から沈胴するときは、カム筒４５に対して駆動筒６１が繰り込まれないにも拘わらず、第１レンズ枠４１は急速に繰り込まれる。従って、第１レンズ枠４１が駆動筒６１に急速に接近し、やがて、摺動レバー６６の先端部６６ｃが第１レンズ枠４１の裏面４１ａより押圧されて、駆動レバー６６は後退する。これによって、回転レバー６５は時計方向に回転し、第２レンズ枠４２は圧縮バネ６４の付勢力に抗して駆動筒６１に接近し、図６及び図１０の状態になる。
【００５６】
なお、以上の如く述べた二つの実施の形態は一例であって、下記の如く形態を変えても本発明の範疇に入るものである。
【００５７】
・カム筒１５，４５は広角端（Ｗ）から望遠端（Ｔ）の間でも繰り出されてもよい。
【００５８】
・カム溝１５ｃ，４５ｂは沈胴位置（沈）と広角端（Ｗ）で傾斜していてもよい。
【００５９】
・カム溝１５ａ，４５ａは広角端（Ｗ）から望遠端（Ｔ）の間でどのような軌跡であってもよい。
【００６０】
・カム溝１５ｂにおける中間位置（Ｍ）と望遠端（Ｔ）の間の傾斜がカム溝１５ｃにおける中間位置（Ｍ）と望遠端（Ｔ）の間の傾斜よりきつければよいので、カム溝１５ｂにおける中間位置（Ｍ）と望遠端（Ｔ）の間の傾斜を広角端（Ｗ）と中間位置（Ｍ）の傾斜よりきつくし、カム溝１５ｃにおける中間位置（Ｍ）と望遠端（Ｔ）の間の傾斜を沈胴端（Ｗ）と中間位置（Ｍ）との間の傾斜と同等にしてもよい。
【００６１】
・ズームレンズのレンズ群は２群でも４群以上であってもよい。
・合焦動作は３群レンズを移動させるだけでなく、他のレンズ群を移動させてもよいし、全てのレンズ群を移動させてもよい。
【００６２】
その他に、上述の二つの実施の形態以外に、駆動筒に対して第２レンズ枠の位置がモータ等のアクチュエータによって変化するように構成してもよい。
【００６３】
また、駆動筒と第２レンズ枠との間に形状記憶合金を配置し、所定の焦点距離のときは該形状記憶合金を加熱して、駆動筒に対して第２レンズ枠の位置が変化するように構成してもよい。
【００６４】
なお以上の形態は、被写体の光像がズームレンズにより撮像素子に結像するデジタルカメラであるが、フィルムに結像するカメラであってもよい。
【００６５】
【発明の効果】
本発明のズームレンズ鏡胴によれば、レンズ群の相互の移動量が大きいズームレンズであっても、カム筒の全長を長く形成することなく、充分に沈胴可能なコンパクトに形成することができる。
【図面の簡単な説明】
【図１】ズームレンズ鏡胴を沈胴させたときの縦断面図である。
【図２】ズームレンズ鏡胴を広角端まで繰り出したときの縦断面図である。
【図３】ズームレンズ鏡胴を望遠端まで繰り出したときの縦断面図である。
【図４】固定胴のカム溝の展開図である。
【図５】カム筒のカム溝の展開図である。
【図６】ズームレンズ鏡胴を沈胴させたときの縦断面図である。
【図７】ズームレンズ鏡胴を広角端まで繰り出したときの縦断面図である。
【図８】ズームレンズ鏡胴を望遠端まで繰り出したときの縦断面図である。
【図９】カム筒のカム溝の展開図である。
【図１０】沈胴及び望遠端における各レバーの作動図である。
【図１１】広角端における各レバーの作動図である。
【符号の説明】
Ｌ１  第１レンズ群
Ｌ２  第２レンズ群
Ｌ３  第３レンズ群
１１，４１  第１レンズ枠
１２，４２  第２レンズ枠
１３，４３  第３レンズ枠
１５，４５  カム筒
１５ａ，１５ｂ，１５ｃ，１６ａ，４５ａ，４５ｂ  カム溝
１６  固定胴
２１，２２，２５，３２，５１，５５，６２  カムピン
３１，６１  駆動筒
３３，６３  案内軸
３４，６４  圧縮バネ
６５  回転レバー
６６  摺動レバー
【図１】
0003931675.tif 000002
【図２】
0003931675.tif 000003
【図３】
0003931675.tif 000004
【図４】
0003931675.tif 000005
【図５】
0003931675.tif 000006
【図６】
0003931675.tif 000007
【図７】
0003931675.tif 000008
【図８】
0003931675.tif 000009
【図９】
0003931675.tif 000010
【図１０】
0003931675.tif 000011
【図１１】
0003931675.tif 000012